(57)【要約】【課題】シート供給装置を傾動させてもシート供給装置に回動自在に設けられた積載部が回動し難いシート供給装置を提供する。【解決手段】自動原稿搬送装置１４は、画像読取装置１１に対して矢印Ｆ方向に傾動可能である。供給トレイ５１は、搬送部１７に供給するシートを積載し、搬送部１７に対して矢印Ｅ方向に傾動可能である。係合部材５５は、搬送部１７に設けられ、搬送部１７の矢印Ｆ方向の傾動に伴って供給トレイ５１に係合して、搬送部１７に対する供給トレイ５１のばたつきを規制する。【選択図】図６
2017210325.tif 000002
【特許請求の範囲】
【請求項１】
装置本体に対して傾動可能なシート搬送部と、
前記シート搬送部に供給するシートを積載し、前記シート搬送部に対して傾動可能な積載部材と、
前記シート搬送部に設けられ、前記シート搬送部の傾動に伴って前記積載部材に係合する係合手段と、を備えることを特徴とするシート供給装置。
【請求項２】
前記係合手段は、前記シート搬送部の前記傾動からの復帰に伴って前記積載部材との係合を解除することを特徴とする請求項１に記載のシート供給装置。
【請求項３】
前記係合手段は、前記シート搬送部に対して回動して回動端側の係合部が前記積載部材に係合する回動部材を有し、
前記回動部材は、回動軸側の当接部が前記装置本体に当接することにより、前記係合部による前記積載部材との係合が解除されることを特徴とする請求項２に記載のシート供給装置。
【請求項４】
前記係合手段は、前記係合部を前記積載部材に係合させるように前記回動部材を付勢する付勢手段を有することを特徴とする請求項３に記載のシート供給装置。
【請求項５】
前記シート搬送部は、前記積載部材から供給されたシートを前記積載部材の下に排出して積載し、
前記回動部材は、前記積載部材が前記シート搬送部に接続している側に片寄せて配置されていることを特徴とする請求項４に記載のシート供給装置。
【請求項６】
前記係合部の前記積載部材に対する係合状態が外部から視認可能であることを特徴とする請求項３乃至５のいずれか１項に記載のシート供給装置。
【請求項７】
前記係合部の前記積載部材に対する係合状態が前記装置本体を操作する方向から視認可能であることを特徴とする請求項３乃至６のいずれか１項に記載のシート供給装置。
【請求項８】
請求項１乃至７のいずれか１項に記載のシート供給装置と、
前記シート供給装置により供給されたシートの画像を読み取る画像読取部と、を備えることを特徴とする画像読取装置。
【発明の詳細な説明】
【技術分野】
【０００１】
本発明は、積載部材に積載されたシートをシート搬送部へ供給するシート供給装置に関する。
【背景技術】
【０００２】
画像形成装置、画像読取装置、シート処理装置等において、積載部材に積載されたシートをシート搬送部へ供給するシート供給装置が開発されている。シート供給装置では、シート搬送部が装置本体に対して傾動可能に設けられている場合がある。例えば、画像読取装置において、積載部材（供給トレイ）に積載されたシート（原稿）を搬送するシート搬送部（自動原稿搬送装置）が、画像読取装置の装置本体に対して後方へ回動して傾動可能に取り付けられている場合がある。
【０００３】
シート供給装置では、さらに、積載部材（供給トレイ）がシート搬送部（自動原稿搬送装置）に対して傾動可能に設けられている場合がある。この場合、ユーザーが装置本体に対してシート搬送部を傾動させる操作に伴って、シート搬送部に対して積載部材が勝手にばたついて、積載部材上に積載されたシートあるいは積載部材の下に排出された読み取り済みのシートを落下させてしまう可能性がある。
【０００４】
そこで、特許文献１のシート供給装置では、シート搬送部を傾動させる操作に先立たせて、ユーザーがシート搬送部と積載部材との間に規制部材を手動で取り付けて、積載部材からシートが落下しないようにしている。
【先行技術文献】
【特許文献】
【０００５】
【特許文献１】特開平１１−２０９５７号公報
【発明の概要】
【発明が解決しようとする課題】
【０００６】
特許文献１のシート供給装置は、シート搬送部を傾動させる操作に先立たせて、積載部材の上あるいは下からシートが落下することを防止する措置をユーザーが自ら手動で実行する必要がある。このため、シートが落下することを防止する措置をユーザーが怠ると、積載部材の上あるいは下からシートが落下してしまう。
【０００７】
本発明は、積載部材の上あるいは下からシートが落下することを防止する措置をユーザーが実行しなくても、積載部材の上あるいは下からシートが落下することを防止することができるシート供給装置を提供することを目的としている。
【課題を解決するための手段】
【０００８】
本発明のシート供給装置は、装置本体に対して傾動可能なシート搬送部と、前記シート搬送部に供給するシートを積載し、前記シート搬送部に対して傾動可能な積載部材と、前記シート搬送部に設けられ、前記シート搬送部の傾動に伴って前記積載部材に係合する係合手段と、を備えるものである。
【発明の効果】
【０００９】
本発明によれば、ユーザーがシート搬送部を傾動させた場合に、積載部材が自動的にシート搬送部へロックされる。よって、ユーザーは特に意識しなくても積載部材のばたつきを抑制することができ、画積載部材上に積載されたシートあるいは積載部材の下に排出されたシートの落下を抑制できる。
【図面の簡単な説明】
【００１０】
【図１】実施の形態１における画像形成装置の構成の説明図である。
【図２】実施の形態１における自動原稿搬送装置の構成の説明図である。
【図３】原稿供給トレイの回動の説明図である。
【図４】自動原稿搬送装置を回動させる蝶番の配置の説明図である。
【図５】実施の形態１の係合機構の配置の説明図である。
【図６】係合部材と供給トレイの配置の説明図である。
【図７】係合部材が供給トレイに係合していない状態の説明図である。
【図８】自動原稿搬送装置が閉じられた状態の説明図である。
【図９】係合部材が供給トレイに係合している状態の説明図である。
【図１０】自動原稿搬送装置の傾動を開始した状態の説明図である。
【図１１】自動原稿搬送装置を傾動して起立させた状態の説明図である。
【発明を実施するための形態】
【００１１】
＜実施の形態１＞
（画像形成装置）
図１は実施の形態１における画像形成装置の構成の説明図である。図１に示すように、画像形成装置１０は、画像読取装置１１において読み取った原稿Ｄの画像を、画像形成部１２においてシートに複写可能な電子写真方式のプリンタ／複写機である。
【００１２】
画像形成部１２は、感光ドラム２０の周囲に帯電ローラ２１、露光装置２２、現像装置２３、転写ローラ２４、及びドラムクリーニング装置２５を配置している。感光ドラム２０は、金属円筒の表面に感光層を形成され、矢印Ａ方向に回転駆動される。
【００１３】
帯電ローラ２１は、帯電電圧を印加されて感光ドラム２０の周面を一様な電位に帯電させる。露光装置２２は、走査線の画像信号に応じてＯＮ−ＯＦＦ変調されたレーザービームを感光ドラム２０の周面に走査して、感光ドラム２０の表面に画像の静電潜像を形成する。現像装置２３は、現像スリーブ２３ａに現像剤を担持して感光ドラム２０の静電潜像をトナー像に現像する。
【００１４】
シート給送部１３は、カセット３０に積載されたシートもしくは手差し給送トレイ１５に積載されたシートを転写部Ｔへ搬送する。カセット３０に積載されたシートＰは、ピックアップローラ３１によって取り出され、分離ローラ３２によって１枚ずつに分離されてレジストローラ３３で待機する。レジストローラ３３は、感光ドラム２０のトナー像にタイミングを合わせて転写部ＴにシートＰを給送する。
【００１５】
転写ローラ２４は、転写電圧を印加されて、感光ドラム２０に担持されたトナー像を、転写部Ｔを通過するシートＰに転写する。定着装置２６は、トナー像を転写されたシートを加熱加圧してシートに画像を定着させる。画像が定着されたシートは、排出ローラ３４によって排出トレイ３５へ排出して積載される。ドラムクリーニング装置２５は、回転ブラシを感光ドラム２０に摺擦させて転写残トナーを回収する。
【００１６】
画像形成装置１０の上部に原稿の画像を読み取る画像読取装置１１が配置される。制御部１１０は、画像読取装置１１が読み取った原稿Ｄの画像情報に基づいて原稿Ｄの画像データを生成し、画像データを展開して走査線の画像信号を生成して、露光装置２２を制御する。
【００１７】
（画像読取装置）
図１に示すように、画像読取部の一例である画像読取装置１１は、プラテンガラス１６の上に、正面側から後方へ回動してプラテンガラス１６の上面を開放可能な自動原稿搬送装置１４を配置している。搬送部１７の上面は、自動原稿搬送装置１４から排出された原稿を積載する排出トレイになっている。
【００１８】
画像読取ユニット１８は、主走査方向（図１の紙面に垂直な方向）に長く形成された撮像素子と照明素子とを有する。画像読取ユニット１８は、副走査方向（右方向）に移動可能であるとともに、副走査方向の所定位置に設定された読取位置へ位置決め可能である。画像読取装置１１は、固定読みモードと流し読みモードとを実行可能である。
【００１９】
固定読みモードでは、プラテンガラス１６の上に載置された原稿Ｇの画像を読み取る。プラテンガラス１６上に原稿Ｇを載置して搬送部１７で押圧した状態で、プラテンガラス１６の下で画像読取ユニット１８を副走査方向に移動させて、原稿Ｇの下面の画像を読み取る。このとき、自動原稿搬送装置１４の搬送部１７は、プラテンガラス１６の上に載置された原稿Ｇを押圧してプラテンガラス１６に密着させている。
【００２０】
流し読みモードでは、画像読取装置１１は、自動原稿搬送装置１４によって供給トレイ５１から供給された原稿の画像を読み取る。すなわち、画像読取ユニット１８を所定の読取位置に停止させ、自動原稿搬送装置１４の搬送ユニット５０によって原稿Ｄを搬送して画像読取ユニット１８上を通過させる。そして、原稿Ｄが画像読取ユニット１８上を通過する過程で、画像読取ユニット１８により原稿Ｄの画像を連続的に読み取る。画像読取ユニット１８は、上方を通過する原稿の画像を読み取る。
【００２１】
（自動原稿搬送装置）
図２は実施の形態１における自動原稿搬送装置の構成の説明図である。図２に示すように、画像形成装置１０の装置本体１０Ｂの上部に画像読取装置１１が配置されている。画像読取装置１１の上部には、シート供給装置の一例である自動原稿搬送装置１４が取り付けられている。自動原稿搬送装置１４は、搬送部１７、原稿の搬送ユニット５０、搬送ユニット５０のカバー５２、供給トレイ５１、及び排出トレイ５３を備えている。
【００２２】
シート搬送部の一例である搬送部１７は、装置本体の一例である画像読取装置１１に対して後方へ傾動可能である。積載部材の一例である供給トレイ５１は、搬送部１７に供給するシートを積載し、搬送部１７に対して移動可能である。
【００２３】
搬送ユニット５０は、供給トレイ５１に積載された原稿を、最上位から１枚ずつ取り出して、画像読取ユニット１８の上方を通過させる。搬送ユニット５０は、画像読取ユニット１８による画像読取が終了した原稿を、排出ローラ２ｈにより排出トレイ５３へ排出して積載する。
【００２４】
供給トレイ５１は、先端部から搬送ユニット５０の方向に向かってなだらかに傾斜させて、供給トレイ５１に載置された原稿が搬送ユニット５０へ自然に導かれるようにしている。一方、排出トレイ５３は、供給トレイ５１と略平行となるように、搬送部１７の上面に一体的に形成されている。搬送部１７は、供給トレイ５１から供給されたシートを搬送し、供給トレイ５１の下に配置された排出トレイ５３に排出して積載する。搬送ユニット５０から排出トレイ５３へ排出される原稿は、供給トレイ５１から搬送ユニット５０に向かう搬送方向とは逆方向に排出される。
【００２５】
ピックアップローラ２ａは、下降して供給トレイ５１に積載された最上位の原稿に当接して回転し、原稿を搬送ローラ２ｂと分離ローラ２ｃのニップ部へ送り込む。搬送ローラ２ｂは、搬送方向に回転駆動されているため、最上位の原稿に当接してレジストローラ２ｄへ送り出す。一方、分離ローラ２ｃは、不図示のワンウェイクラッチを介して搬送方向と逆方向に回転駆動されているため、最上位のシートに重送されるシートを供給トレイ５１へ押し戻す。
【００２６】
レジストローラ２ｄは、原稿を、リードローラ２ｆへ受け渡す。リードローラ２ｆは、原稿をホワイトローラ２ｅへ受け渡す。ホワイトローラ２ｅは、プラテンガラス１６に原稿（Ｇ：図１）を密着させる。ホワイトローラ２ｅ下で画像を読み取られた原稿（Ｇ：図１）は、リードローラ２ｇから排出ローラ２ｈへ受け渡されて排出トレイ５３へ排出される。
【００２７】
カバー５２は、原稿の搬送ユニット５０を覆って搬送部１７に設けられている。ジャム処理を容易にすべく、カバー５２は、搬送部１７に対する係合を解除した後、搬送部１７から後方へ回動させて搬送ユニット５０を開放可能である。
【００２８】
（自動原稿搬送装置の回動）
図３は原稿供給トレイの回動の説明図である。図４は自動原稿搬送装置を回動させる蝶番の配置の説明図である。図３に示すように、画像読取装置１１は、自動原稿搬送装置１４を矢印Ｆ方向に回動させて、全体を後方へ傾動させることにより、搬送部１７の下のプラテンガラス（１６：図２）の原稿載置面を開放可能である。
【００２９】
図４に示すように、自動原稿搬送装置１４は、画像読取装置１１に対して蝶番６１ａ，６１ｂの回動軸を中心にして矢印Ｆ方向へ回動させて、ほぼ９０度の起立状態を保持させることができる。これにより、図２に示すプラテンガラス１６上への原稿の載置、プラテンガラス１６のクリーニング、ホワイトローラ２ｅの汚れの確認等を可能にしている。
【００３０】
（供給トレイ）
図３に示すように、画像読取装置１１では、排出トレイ５３に排出された原稿の正面側からの取り出しを容易にするために、搬送ユニット５０を収容した搬送部１７に対して、供給トレイ５１を上方へ回動可能である。画像形成装置１０の全高を低くするために、排出トレイ５３と供給トレイ５１の間隔が狭くなっている。しかし、供給トレイ５１に積載された原稿の画像の読取終了後、空の供給トレイ５１を大きく跳ね上げた状態で、排出トレイ５３から原稿を取り出すことが可能である。
【００３１】
ところで、自動原稿搬送装置１４は、供給トレイ５１が上方へ回動可能であるため、図２に示すプラテンガラス１６上に原稿を載置する際に搬送部１７を矢印Ｆ方向に傾動させると、供給トレイ５１が自重で矢印Ｅ方向に回動する可能性がある。供給トレイ５１が矢印Ｅ方向に回動してばたつくと、自動原稿搬送装置１４の重心が不安定になり、供給トレイ５１の回動部に大きな負荷がかかることもある。
【００３２】
また、自動原稿搬送装置１４は、供給トレイ５１が回動自在であるため、自動原稿搬送装置１４を矢印Ｆ方向へ開いた際に供給トレイ５１が回動して、供給トレイ５１に載置された原稿や、排出トレイ５３に排出された原稿が床面に落下する可能性がある。
【００３３】
このような問題を解決するために、比較例では、特許文献１に示されるように、自動原稿搬送装置１４を矢印Ｆ方向へ開いた場合に供給トレイ５１に載置された原稿の落下を阻止することができるストッパ部材を装備している。
【００３４】
（比較例）
比較例では、自動原稿搬送装置１４を後方へ傾動させる前に、ユーザーが供給トレイ５１の傾動側の端部にストッパ部材を取り付けている。着脱自在に装備されたストッパ部材を用いて、ユーザーは、自動原稿搬送装置１４を矢印Ｆ方向へ開く前に供給トレイ５１上のシートの移動を規制する。そして、自動原稿搬送装置１４を開いた状態から元の閉じた状態に復帰した後にユーザーがストッパ部材を取り外している。
【００３５】
しかし、比較例では、ストッパ部材が自動原稿搬送装置１４に対して着脱可能であるため、取り外したストッパ部材を紛失してしまう可能性があった。また、比較例では、ストッパ部材が自動原稿搬送装置１４を開閉操作する正面側とは反対側に配置されているため、ストッパ部材が確実に装着されているのか否かを認識しづらい。特に、自動原稿搬送装置１４を傾動させた際に、自動原稿搬送装置１４の底面が視界を遮って、ストッパ部材が機能しているか否かを確認できなくなる。
【００３６】
このため、ユーザーがストッパ部材を装着していないことに気付かないまま、自動原稿搬送装置１４を開閉操作する可能性があった。ストッパ部材を十分に機能させることなく自動原稿搬送装置１４を後方へ開いてしまい、供給トレイ５１が突然に回動して供給トレイ５１に積載されたシートが床に落下することがあった。
【００３７】
そこで、実施の形態１では、図５に示すように、自動原稿搬送装置１４の開閉に伴って搬送部１７に対する供給トレイ５１の回動を自動的にロックする係合部材５５を設けた。また、係合部材５５を、自動原稿搬送装置１４を開閉操作する側のユーザーに近い位置に配置して、万が一の不十分なロック状態をシートの落下に至る前に確認できるようにした。これにより、図４に示すように、自動原稿搬送装置１４を矢印Ｆ方向へ開いた際に、供給トレイ５１が意図しない回動を引き起こさないようにした。
【００３８】
（係合機構）
図５は実施の形態１の係合機構の配置の説明図である。図６は係合部材と供給トレイの配置の説明図である。図６は、図５の係合部材５５及び搬送部１７を矢印Ｈ方向から見た図である。
【００３９】
図５に示すように、自動原稿搬送装置１４の正面側から見た搬送部１７の手前側に係合部材５５が配置されている。係合部材５５は、搬送部１７に設けられて、供給トレイ５１に係合可能である。係合部材５５は、供給トレイ５１に対する係合状態が画像読取装置１１を操作する正面側の方向から視認可能である。係合部材５５は、供給トレイ５１からの原稿の取り出しを妨げないように、供給トレイ５１が搬送部１７に接続している側に片寄せて配置されている。
【００４０】
図６に示すように、係合部材５５は、供給トレイ５１に対する係合部５５ａの係合状態が外部から視認可能である。係合部材５５は、矢印Ｊ，Ｋ方向に回動可能である。係合部材５５は、回動端側である上部に鉤状の係合部５５ａを有する。係合部材５５は、矢印Ｊ方向に回動して供給トレイ５１に係合部５５ａを係合させる。係合部材５５は、矢印Ｋ方向に回動して供給トレイ５１に対する係合部５５ａの係合を解除する。係合部材５５の回動軸側である下端部は、搬送部１７のカバー５４に覆われている。カバー５４に形成された開口５８の範囲で係合部材５５は矢印Ｊ，Ｋ方向に回動する。
【００４１】
（係合解除状態）
図７は係合部材が供給トレイに係合していない状態の説明図である。図８は自動原稿搬送装置が閉じられた状態の説明図である。
【００４２】
図７に示すように、カバー５４の内側に配置された回動軸５７は、搬送部１７に固定された係合部材５５の回動支点である。係合部材５５は、回動軸５７を中心にして矢印Ｊ，Ｋ方向に回動する。係合部材５５は、カバー５４の開口５８に位置している。開口５８は、係合部材５５が回動軸５７を中心に回動しても、係合部材５５と干渉しない位置に形成されている。
【００４３】
付勢手段の一例である弾性部材５６は、係合部５５ａを供給トレイ５１に係合させるように係合部材５５を付勢する。弾性部材５６は、一端が係合部材５５に固定され、他端が搬送部１７に固定されたねじりコイルばねであって、係合部材５５を矢印Ｊ方向に付勢している。係合部材５５は、弾性部材５６によって常に回動軸５７を中心に供給トレイ５１に係合するよう付勢力を受けている。
【００４４】
画像読取装置１１に対して自動原稿搬送装置１４が閉じられることにより、係合部材５５の当接部５５ｂが画像読取装置１１の接地面５９に押し上げられて、係合部材５５を供給トレイ５１から離間する方向に回動させる。これにより、係合部材５５は、搬送部１７の傾動からの復帰に伴って供給トレイ５１との係合を解除する。係合部材５５は、回動軸側の当接部５５ｂが画像読取装置１１に当接することにより、係合部５５ａによる供給トレイ５１との係合を解除する。
【００４５】
その後、画像読取装置１１に対して自動原稿搬送装置１４が閉じられた状態では、接地面５９が当接部５５ｂを押圧することにより、弾性部材５６の付勢力に抗して係合部材５５を矢印Ｋ方向に回動させた状態を保持している。図８に示すように、係合部材５５の係合部５５ａは、開口５８の正面側の端部に位置して、供給トレイ５１から離間している。これにより、画像読取装置１１上で自動原稿搬送装置１４が閉じられているとき、搬送部１７と供給トレイ５１は係合せず、供給トレイ５１は、搬送部１７に対して矢印Ｅ方向へ自在に回動可能である。
【００４６】
（係合状態）
図９は係合部材が供給トレイに係合している状態の説明図である。図１０は自動原稿搬送装置の傾動を開始した状態の説明図である。図１１は自動原稿搬送装置を傾動して起立させた状態の説明図である。
【００４７】
図９に示すように、係合手段の一例である係合部材５５は、搬送部１７に設けられ、搬送部１７の傾動に伴って供給トレイ５１に係合する。回動部材の一例である係合部材５５は、搬送部１７に対して回動して回動端側の係合部５５ａが供給トレイ５１に係合する。
【００４８】
画像読取装置１１に対して自動原稿搬送装置１４が傾動されると、係合部材５５の当接部５５ｂが画像読取装置１１の接地面５９から離れる。これにより、弾性部材５６の付勢力が働いて、係合部材５５は、回動軸５７を中心に回動して、係合部５５ａを供給トレイ５１に係合させる。係合部５５ａが供給トレイ５１の方向に回動して、供給トレイ５１に係合し、搬送部１７と供給トレイ５１との位置関係を固定する。
【００４９】
その後、画像読取装置１１に対して自動原稿搬送装置１４が開放された状態では、係合部材５５と供給トレイ５１との係合が維持される。係合部材５５の当接部５５ｂが接地面５９から離れることで、弾性部材５６の付勢力が働き、係合部材５５が回動軸５７を中心に回動して、係合部５５ａを供給トレイ５１に係合させ続ける。
【００５０】
図１０に示すように、自動原稿搬送装置１４の傾動を開始するとほどなく係合部材５５は、供給トレイ５１に係合する。これにより、自動原稿搬送装置１４の傾動期間を通じて、搬送部１７と供給トレイ５１との位置関係が固定され続ける。
【００５１】
図１１に示すように、自動原稿搬送装置１４は起立状態まで開放される。このとき、係合部材５５の係合部５５ａは供給トレイ５１に係合しており、搬送部１７に対して供給トレイ５１が不意に開放してばたつく事態が防止されている。
【００５２】
（実施の形態１の効果）
実施の形態１では、係合部材５５は、搬送部１７に設けられ、搬送部１７の傾動に伴って供給トレイ５１に係合する。係合部５５ａは、自動原稿搬送装置１４の開閉に連動して供給トレイ５１と搬送部１７との係合／係合解除を自動的に行う。自動原稿搬送装置１４を傾動させた際に、普段は回動自在な供給トレイ５１が回動し難くなる。このため、ユーザーは、自動原稿搬送装置１４を開閉する前にシートの落下を防ぐ操作を行う必要が無い。自動原稿搬送装置１４を傾動させた際に供給トレイ５１が回動し難い。シートの落下を防ぐ操作を忘れていても、供給トレイ５１の下に排出された排出トレイ５３から原稿が落下しにくい。
【００５３】
実施の形態１では、係合部材５５は、搬送部１７の傾動からの復帰に伴って供給トレイ５１との係合を解除する。自動原稿搬送装置１４を閉じた状態では、供給トレイ５１と搬送部１７とが係合していない。自動原稿搬送装置１４を閉じた状態では、画像読取装置１１の接地面５９に当接部５５ｂが当接して弾性部材５６の付勢力に抗して係合部５５ａを供給トレイ５１から離間する。このため、供給トレイ５１を自在に回動して、排出トレイ５３に排出された原稿を容易に取り出し可能である。供給トレイ５１は係合部材５５による拘束を受けることなく容易に開閉することができる。
【００５４】
実施の形態１では、係合部材５５は、搬送部１７に対して回動して回動端側の係合部５５ａが供給トレイ５１に係合する。係合部材５５は、回動軸側の当接部５５ｂが画像読取装置１１に当接することにより、係合部５５ａによる供給トレイ５１との係合を解除する。したがって、実質的に１個の部品からなる小型で安価な機構によって供給トレイ５１を固定する目的を達することができる。
【００５５】
実施の形態１では、弾性部材５６は、係合部５５ａを供給トレイ５１に係合させるように係合部材５５を付勢する。このため、モーター、ソレノイド、スイッチ、及び電気回路を使用することなく、自動原稿搬送装置１４に供給トレイ５１を固定することができる。
【００５６】
実施の形態１では、係合部５５ａの供給トレイ５１に対する係合状態が外部から視認可能である。このため、係合部材５５が正常に機能して自動原稿搬送装置１４に供給トレイ５１が固定されているか否かをユーザーが確認し易い。ユーザーは、自動原稿搬送装置１４を傾動させる前に、供給トレイ５１が固定されていないことに容易に気付くことができる。
【００５７】
実施の形態１では、係合部５５ａの供給トレイ５１に対する係合状態が画像読取装置１１を操作する方向から視認可能である。このため、ユーザーが自動原稿搬送装置１４に対して供給トレイ５１が固定されていることに気付くことなく、不用意に自動原稿搬送装置１４を傾動させてしまう可能性が低くなる。
【００５８】
実施の形態１では、供給トレイ５１と搬送部１７とを係合する係合部材５５が搬送部１７に組み立てられて取り外し不要である。このため、係合部材５５をどこかへ置き忘れて探したり、紛失したりすることがない。
【００５９】
実施の形態１では、係合部材５５は、供給トレイ５１が搬送部１７に接続している側に片寄せて配置されている。このため、係合部材５５に妨げられることなく、排出トレイ５３から原稿を容易に取り出すことができる。
【００６０】
＜その他の実施の形態＞
本発明のシート処理装置は、実施の形態１で説明した具体的な構成には限定されない。実施の形態１の構成の一部又は全部を等価な部材に置き換えた別の実施の形態でも実施可能である。
【００６１】
実施の形態１では、画像読取装置１１の自動原稿搬送装置１４に関する実施の形態を説明したが、積載部に積載されたシートの供給先は画像読取装置には限定されない。シートの供給先は、インクジェットプリンタ、電子写真方式のプリンタ、ファクシミリ、複写機、複合機等の画像形成処理部であってもよい。例えば、図１に示すように、画像形成装置１０において、外部からのシート給送動作を可能とする手差し給送トレイ１５に関する実施の形態でも実施できる。
【００６２】
実施の形態１では、画像読取装置１１の接地面５９に駆動されて回動することにより供給トレイ５１に直接係合する係合部材５５を設けた。しかし、係合部材５５は、回動以外の動作を行う部材に置き換えてもよく、供給トレイ５１に対して別部材を介して間接的に係合する部材に置き換えてもよい。
【００６３】
実施の形態１では、係合部材５５と弾性部材５６とによる単純な機構を採用した。しかし、搬送部１７に設けた磁石を回転させて供給トレイ５１に固定した磁石に対する吸着と反発とを切り替える機構を採用してもよい。自動原稿搬送装置１４に接地面５９に当接してＯＮするスイッチを設け、スイッチによって電力供給されるソレノイドにより係合部材５５を回動させてもよい。スイッチを通じて電力供給を受けている間、供給トレイ５１から係合部材５５をソレノイドにより離間させてもよい。接地面５９からスイッチが離れて電源供給が停止すると、弾性部材５６の付勢力により供給トレイ５１に係合部材５５が係合する構成としてもよい。すなわち、供給トレイ５１を電磁ロック／ロック解除する構成を採用してもよい。
【００６４】
実施の形態１では、供給トレイ５１の平面に係合部材５５のフック上の係合部５５ａを係合させた。すなわち、供給トレイ５１に係合部材５５が係合した状態で、供給トレイ５１と係合部材５５との接触面に沿った方向の若干の相対移動を可能に構成している。しかし、係合部５５ａの先端に突起又はリブを設け、供給トレイ５１に設けた凹所又は溝に係合部５５ａの突起又はリブを噛み合わせて接触面に沿った方向の相対移動を制限してもよい。
【符号の説明】
【００６５】
１０：画像形成装置、１１：画像読取装置、１４：自動原稿搬送装置（シート供給装置）、１７：搬送部（シート搬送部）、５０：搬送ユニット、５１：供給トレイ（積載部材）、５２：カバー、５３：排出トレイ、５４：カバー、５５：係合部材（係合手段）、５５ａ：係合部、５５ｂ：当接部、５６：弾性部材（付勢手段）、５７：回動軸、５８：開口、５９：接地面、６１ａ、６１ｂ：蝶番
【図１】
2017210325.tif 000003
【図２】
2017210325.tif 000004
【図３】
2017210325.tif 000005
【図４】
2017210325.tif 000006
【図５】
2017210325.tif 000007
【図６】
2017210325.tif 000008
【図７】
2017210325.tif 000009
【図８】
2017210325.tif 000010
【図９】
2017210325.tif 000011
【図１０】
2017210325.tif 000012
【図１１】
2017210325.tif 000013